(57)【要約】      （修正有）【課題】複数の蓄電池システムを具備し、これらの蓄電池システムを好適に動かすことができる電力供給システムを提供する。【解決手段】系統電源１００と電力負荷Ｇ１〜Ｇｍ（以下Ｇ）とを結ぶ電路の一部であって、互いに分岐してそれぞれに電力負荷Ｇが接続された複数の分岐電路Ｌ１〜Ｌｍと、各電力負荷Ｇに対応して設けられたグループ用の蓄電池システム１ｂ〜Ｍｂ（以下Ｂ）と、各電力負荷Ｇと各蓄電池システムＢとの間に接続された燃料電池システム１１ｆ〜１ｎｆ、・・・、Ｍ１ｆ〜Ｍｎｆと、電力検出部１ｄ〜Ｍｄ、Ｄｄの検出結果に基づいて各蓄電池システムＢの動作を制御すると制御部と、を具備する。系統電源１００への逆潮流が検出された場合には、各電力負荷Ｇと接続された蓄電池システムＢのうち、放電状態の蓄電池システムＢを抽出し、抽出した放電状態の蓄電池システムＢのうち、電池残量の低い順に放電状態を停止する。【選択図】図１
2018152948.tif 000002
【特許請求の範囲】
【請求項１】
系統電源と負荷とを結ぶ電路の一部であって、互いに分岐してそれぞれに前記負荷が接続された複数の分岐電路と、
各負荷に対応して設けられ、対応する前記各負荷と各分岐電路を介して接続された第一蓄電池システムと、
前記各負荷と前記各負荷に対応する各第一蓄電池システムとの間に接続された燃料電池システムと、
系統電源へ流れる電力を検出可能な検出部と、
前記検出部の検出結果に基づいて前記第一蓄電池システムの動作を制御する制御部と、
を具備し、
前記制御部は、
系統電源へ流れる電力が検出された場合には、
前記各負荷と接続された前記第一蓄電池システムのうち、放電状態の前記第一蓄電池システムを抽出し、
抽出した放電状態の前記第一蓄電池システムのうち、電池残量の低い順に放電状態を停止する、
ことを特徴とする電力供給システム。
【請求項２】
複数の前記分岐電路と系統電源とを結ぶ電路に接続された第二蓄電池システムをさらに具備し、
前記制御部は、
前記検出部の検出結果に基づいて前記第二蓄電池システムの動作を制御可能であり、
前記各負荷と接続された前記第一蓄電池システムが全て充電状態の場合に、前記第二蓄電池システムを充電状態とする、
請求項１に記載の電力供給システム。
【請求項３】
前記各負荷と接続された前記第一蓄電池システムに充放電の停止状態であって、且つ、前記分岐電路との接続部を電力が系統電源側に流れている前記第一蓄電池システムがある場合には、
前記分岐電路との接続部を電力が系統電源側に流れている前記第一蓄電池システムのうち、電池残量の低い順に充電状態とする、
請求項１又は請求項２に記載の電力供給システム。
【請求項４】
複数の前記分岐電路と系統電源とを結ぶ電路に接続された第二蓄電池システムをさらに具備し、
前記検出部は、系統電源から流れてくる電力を検出可能であり、
前記制御部は、
系統電源から流れてくる電力が検出された場合には、
前記第二蓄電池システムを放電状態とする、
請求項１から請求項３のいずれか一項に記載の電力供給システム。
【請求項５】
前記第二蓄電池システムが放電状態であって、且つ、前記分岐電路との接続部を電力が前記負荷側に流れている前記第一蓄電池システムがある場合には、
前記分岐電路との接続部を電力が前記負荷側に流れている前記第一蓄電池システムのうち、電池残量の高い順に放電状態とする、
請求項４に記載の電力供給システム。
【請求項６】
前記第二蓄電池システムが放電状態であって、且つ、前記各分岐電路との接続部を電力が前記負荷側に流れている前記第一蓄電池システムがない場合には、
前記各負荷と接続された前記第一蓄電池システムのうち、充電状態の前記第一蓄電池システムを抽出し、
抽出した充電状態の前記第一蓄電池システムのうち、電池残量の高い順に充電状態を停止する、
請求項５に記載の電力供給システム。
【請求項７】
前記制御部は、
前記燃料電池システムの発電状態に関する情報を取得可能であり、
前記制御部の制御には、前記検出部の検出結果に加え、前記発電状態に関する情報に基づいて行われる、
請求項１から請求項６のいずれか一項に記載の電力供給システム。
【発明の詳細な説明】
【技術分野】
【０００１】
本発明は、蓄電池システムと燃料電池システムとを具備する電力供給システムの技術に関する。
【背景技術】
【０００２】
従来、蓄電池システムと燃料電池システムとを具備する電力供給システムの技術は公知となっている。例えば、特許文献１に記載の如くである。
【０００３】
特許文献１には、蓄電池（蓄電池システム）と、電力を発電する発電部（燃料電池システム）と、蓄電池の蓄電状態を示す電池情報を取得する取得部と、を具備する燃料電池システム（電力供給システム）が記載されている。前記燃料電池システムにおいては、電池情報に基づいて、蓄電池及び発電部を連携させている。
【０００４】
このような構成により、系統電源へ電力を逆潮流させたくない場合（例えば、系統電源へ電力が逆潮流しても、当該逆潮流した電力に対する対価が電力会社から得られないような場合）は、発電部の発電電力を蓄電池に充電させ、当該発電部からの系統電源への逆潮流を減少させることができる。
【先行技術文献】
【特許文献】
【０００５】
【特許文献１】国際公開第２０１３−１７９６６１号
【発明の概要】
【発明が解決しようとする課題】
【０００６】
しかしながら、特許文献１に記載の電力供給システムは、蓄電池を１つだけ設けるものである。したがって、蓄電池が充電できない場合には、系統電源へ電力を逆潮流させたくない場合であっても、発電部の発電電力が系統電源へと逆潮流する可能性があった。また、特許文献１に記載の電力供給システムは、蓄電池を複数設けることを想定しておらず、例えば複数の蓄電池を設けた場合に、これらの蓄電池の動かし方を開示するものではなかった。
【０００７】
本発明は、以上の如き状況を鑑みてなされたものであり、その解決しようとする課題は、複数の蓄電池システムを具備し、これらの蓄電池システムを好適に動かすことができる電力供給システムを提供するものである。
【課題を解決するための手段】
【０００８】
本発明の解決しようとする課題は以上の如くであり、次にこの課題を解決するための手段を説明する。
【０００９】
即ち、請求項１においては、系統電源と負荷とを結ぶ電路の一部であって、互いに分岐してそれぞれに前記負荷が接続された複数の分岐電路と、各負荷に対応して設けられ、対応する前記各負荷と各分岐電路を介して接続された第一蓄電池システムと、前記各負荷と前記各負荷に対応する各第一蓄電池システムとの間に接続された燃料電池システムと、系統電源へ流れる電力を検出可能な検出部と、前記検出部の検出結果に基づいて前記第一蓄電池システムの動作を制御する制御部と、を具備し、前記制御部は、系統電源へ流れる電力が検出された場合には、前記各負荷と接続された前記第一蓄電池システムのうち、放電状態の前記第一蓄電池システムを抽出し、抽出した放電状態の前記第一蓄電池システムのうち、電池残量の低い順に放電状態を停止するものである。
【００１０】
請求項２においては、複数の前記分岐電路と系統電源とを結ぶ電路に接続された第二蓄電池システムをさらに具備し、前記制御部は、前記検出部の検出結果に基づいて前記第二蓄電池システムの動作を制御可能であり、前記各負荷と接続された前記第一蓄電池システムが全て充電状態の場合に、前記第二蓄電池システムを充電状態とするものである。
【００１１】
請求項３においては、前記各負荷と接続された前記第一蓄電池システムに充放電の停止状態であって、且つ、前記分岐電路との接続部を電力が系統電源側に流れている前記第一蓄電池システムがある場合には、前記分岐電路との接続部を電力が系統電源側に流れている前記第一蓄電池システムのうち、電池残量の低い順に充電状態とするものである。
【００１２】
請求項４においては、複数の前記分岐電路と系統電源とを結ぶ電路に接続された第二蓄電池システムをさらに具備し、前記検出部は、系統電源から流れてくる電力を検出可能であり、前記制御部は、系統電源から流れてくる電力が検出された場合には、前記第二蓄電池システムを放電状態とするものである。
【００１３】
請求項５においては、前記第二蓄電池システムが放電状態であって、且つ、前記分岐電路との接続部を電力が前記負荷側に流れている前記第一蓄電池システムがある場合には、前記分岐電路との接続部を電力が前記負荷側に流れている前記第一蓄電池システムのうち、電池残量の高い順に放電状態とするものである。
【００１４】
請求項６においては、前記第二蓄電池システムが放電状態であって、且つ、前記各分岐電路との接続部を電力が前記負荷側に流れている前記第一蓄電池システムがない場合には、前記各負荷と接続された前記第一蓄電池システムのうち、充電状態の前記第一蓄電池システムを抽出し、抽出した充電状態の前記第一蓄電池システムのうち、電池残量の高い順に充電状態を停止するものである。
【００１５】
請求項７においては、前記制御部は、前記燃料電池システムの発電状態に関する情報を取得可能であり、前記制御部の制御には、前記検出部の検出結果に加え、前記発電状態に関する情報に基づいて行われるものである。
【発明の効果】
【００１６】
本発明の効果として、以下に示すような効果を奏する。
【００１７】
本発明においては、複数の蓄電池システムを具備し、これらの蓄電池システムを好適に動かすことができる。
【図面の簡単な説明】
【００１８】
【図１】本発明の第一実施形態に係る電力供給システムの構成を示したブロック図。
【図２】同じく、制御部の構成を示したブロック図。
【図３】同じく、電力の供給態様の一例を示したブロック図。
【図４】同じく、電力の供給態様の一例を示したブロック図。
【図５】同じく、第一実施形態に係る逆潮流抑制制御の処理を示したフローチャート。
【図６】同じく、図５の続きを示したフローチャート。
【図７】同じく、図５の続きを示したフローチャート。
【図８】同じく、電力の供給態様の一例を示したブロック図。
【図９】同じく、電力の供給態様の一例を示したブロック図。
【図１０】同じく、図４の続きの電力の供給態様の一例を示したブロック図。
【図１１】同じく、図１０の続きの電力の供給態様の一例を示したブロック図。
【図１２】同じく、図１１の続きの電力の供給態様の一例を示したブロック図。
【図１３】本発明の第二実施形態に係る電力供給システムの制御部の構成を示したブロック図。
【図１４】同じく、第二実施形態に係る逆潮流抑制制御の処理を示したフローチャート。
【図１５】同じく、図１４の続きを示したフローチャート。
【図１６】同じく、図１４の続きを示したフローチャート。
【発明を実施するための形態】
【００１９】
以下では、図１及び２を用いて、本発明の一実施形態に係る電力供給システム１について説明する。
【００２０】
電力供給システム１は、複数の住居Ｈを有するマンション（集合住宅）に導入される。電力供給システム１は、系統電源１００や後述する燃料電池システムＦ、蓄電池システムＢからの電力を適切に各住居Ｈに供給するシステムである。
【００２１】
まず、電力供給システム１が導入されるマンションの概略について説明する。
【００２２】
マンションの複数の住居Ｈは、系統電源１００との接続態様により、複数のグループに分けられる。各住居Ｈには、供給されてきた電力を消費する適宜の電気製品等（電力負荷）が設けられる。このように、本実施形態において、各住居Ｈと系統電源１００との接続とは、より詳細には当該各住居Ｈの電力負荷と系統電源１００との接続を指している。
【００２３】
複数の住居Ｈは、前記複数のグループとして、第１グループＧ１、第２グループＧ２〜第ＭグループＧｍに分けられる。なお、前記「Ｍ」及び「ｍ」には、電力供給システム１が導入されるマンションの構造に応じてグループ分けされた数が代入される。第１グループＧ１は、電路Ｌ１を介して系統電源１００と接続される。第２グループＧ２〜第ＭグループＧｍは、電路Ｌ１から分岐した電路を介して系統電源１００と接続される。例えば、第２グループＧ２は、電路Ｌ１から分岐した電路Ｌ１ａ及び電路Ｌ２を介して系統電源１００と接続される。また、第ＭグループＧｍは、電路Ｌ１から分岐した電路Ｌ１ａ及び電路Ｌｍを介して系統電源１００と接続される。なお以下では、各電路における系統電源１００側を上流側と称し、各住居Ｈ側を下流側と称する。
【００２４】
第１グループＧ１には、複数の住居Ｈのうち、住居１１、住居１２、・・・、住居１ｎが含まれている。なお、第１グループＧ１と接続される電路Ｌ１の下流側端部は、複数に分岐されている。こうして、住居１１、住居１２、・・・、住居１ｎは、電路Ｌ１の分岐された下流側端部にそれぞれ接続される。
【００２５】
第２グループＧ２には、複数の住居Ｈのうち、住居２１、住居２２、・・・、住居２ｎが含まれている。なお、第２グループＧ２と接続される電路Ｌ２の下流側端部は、複数に分岐されている。こうして、住居２１、住居２２、・・・、住居２ｎは、電路Ｌ２の分岐された下流側端部にそれぞれ接続される。
【００２６】
また、第ＭグループＧｍには、複数の住居Ｈのうち、住居Ｍ１、住居Ｍ２、・・・、住居Ｍｎが含まれている。なお、第ＭグループＧｍと接続される電路Ｌｍの下流側端部は、複数に分岐されている。こうして、住居Ｍ１、住居Ｍ２、・・・、住居Ｍｎは、電路Ｌｍの分岐された下流側端部にそれぞれ接続される。
【００２７】
なお、前記「ｎ」には、電力供給システム１が導入されるマンションの構造に応じて一つのグループ当りの住居の数が代入される。
【００２８】
以下では、電力供給システム１の構成について、より詳細に説明する。
【００２９】
図１及び図２に示す電力供給システム１は、主として燃料電池システムＦ、蓄電池システムＢ、電力検出部Ｄ及びＥＭＳ２０を具備する。
【００３０】
燃料電池システムＦは、燃料（本実施形態においては、都市ガス）を使用して発電するものである。燃料電池システムＦは、固体酸化物形燃料電池（ＳＯＦＣ  ：  Ｓｏｌｉｄ  Ｏｘｉｄｅ  Ｆｕｅｌ  Ｃｅｌｌ）や、図示せぬ制御部等を具備する。燃料電池システムＦは、常に最大出力で発電を行うように設定される。本実施形態において、燃料電池システムＦの最大出力（最大発電電力）は、７００Ｗに設定される。
【００３１】
また、燃料電池システムＦは、系統電源１００と接続されて（当該系統電源１００と連系して）住居Ｈ（電力負荷）へと電力を供給する連系運転と、系統電源１００との接続が解除されて（当該系統電源１００から解列して）住居Ｈ（電力負荷）へと電力を供給する連系運転と、を切り替えて行うことができる。燃料電池システムＦは、自立運転を行う場合、発電した電力を自ら消費することにより待機状態となる。なお、燃料電池システムＦは、待機状態においては、発電電力が略０（以下では、０とする）となる。
【００３２】
こうして、燃料電池システムＦは、連系運転時に発電電力が７００Ｗとなり、自立運転時に発電電力が０Ｗとなるように設定される。
【００３３】
また、燃料電池システムＦは、連系運転を行う場合と自立運転を行う場合とを比較すると、都市ガス（燃料）の使用量が異なっている。本実施形態においては、燃料電池システムＦは、自立運転を行う場合（より詳細には、自立運転時に当該燃料電池システムＦから発電電力を取り出さない場合）には、連系運転を行う場合と比べて、都市ガスの使用量が１／３程度となる。
【００３４】
また、燃料電池システムＦは、所定の期間ごと（例えば一ヶ月ごと）に、メンテナンス等のため、発電動作が停止されることがある。
【００３５】
燃料電池システムＦは、各住居Ｈに設けられる（所有される）。具体的には、第１グループＧ１の住居１１、住居１２、・・・、住居１ｎには、それぞれ燃料電池システム１１ｆ、燃料電池システム１２ｆ、・・・、燃料電池システム１ｎｆが設けられる。燃料電池システム１１ｆ、燃料電池システム１２ｆ、・・・、燃料電池システム１ｎｆは、電路Ｌ１の中途部に、それぞれ上流側から下流側へと順番に接続される。
【００３６】
また、第２グループＧ２の住居２１、住居２２、・・・、住居２ｎには、それぞれ燃料電池システム２１ｆ、燃料電池システム２２ｆ、・・・、燃料電池システム２ｎｆが設けられる。燃料電池システム２１ｆ、燃料電池システム２２ｆ、・・・、燃料電池システム２ｎｆは、電路Ｌ２の中途部に、上流側から下流側へと順番に接続される。
【００３７】
また、第ＭグループＧｍの住居Ｍ１、住居Ｍ２、・・・、住居Ｍｎには、それぞれ燃料電池システムＭ１ｆ、燃料電池システムＭ２ｆ、・・・、燃料電池システムＭｎｆが設けられる。燃料電池システムＭ１ｆ、燃料電池システムＭ２ｆ、・・・、燃料電池システムＭｎｆは、電路Ｌｍの中途部に、上流側から下流側へと順番に接続される。
【００３８】
蓄電池システムＢは、系統電源１００や燃料電池システムＦからの電力を適宜充放電するものである。蓄電池システムＢは、充放電可能な蓄電池や当該蓄電池の充放電を制御するパワーコンディショナ等を具備する。蓄電池システムＢは、電路との接続部を電力負荷側へ流れる電力の大きさに基づいて電力を放電する、負荷追従機能を有する。蓄電池システムＢは、充放電等の動作に関する複数のモードを実行することができる。前記複数のモードには、エコモードと停止モードとが含まれる。
【００３９】
エコモードとは、燃料電池システムＦの発電電力を可及的にマンション内で使用するためのモードである。エコモードが実行されると、燃料電池システムＦの発電電力のうち、住居Ｈの電力負荷に対して余剰した余剰電力が、系統電源１００に逆潮流されるのではなく、蓄電池システムＢに充電される。そして、住居Ｈの電力負荷に対して燃料電池システムＦの発電電力が不足した場合には、不足した分を賄うために、蓄電池システムＢから放電された電力が当該住居Ｈの電力負荷に供給される。
【００４０】
停止モードとは、蓄電池システムＢの動作を停止させるためのモードである。停止モードが実行されると、蓄電池システムＢは動作を停止し、充放電が不可能となる。
【００４１】
なお、蓄電池システムＢには、複数のグループにそれぞれ１つずつ設けられる蓄電池システムＢと、複数のグループ全体として１つだけ設けられる蓄電池システムＢと、が含まれる。具体的には、前記複数のグループにそれぞれ１つずつ設けられる蓄電池システムＢとは、蓄電池システム１ｂ、蓄電池システム２ｂ、・・・、蓄電池システムＭｂである。また、前記複数のグループ全体として１つだけ設けられる蓄電池システムＢとは、蓄電池システムＢｂである。以下では、前記複数のグループにそれぞれ１つずつ設けられる蓄電池システムＢを総称して、グループ用の蓄電池システムＢとする。
【００４２】
蓄電池システム１ｂは、電路Ｌ１において、電路Ｌ１ａとの接続部よりも下流側であって、且つ、燃料電池システム１１ｆ、燃料電池システム１２ｆ、・・・、燃料電池システム１ｎｆよりも上流側に接続される。また、蓄電池システム２ｂは、電路Ｌ２において、燃料電池システム２１ｆ、燃料電池システム２２ｆ、・・・、燃料電池システム２ｎｆよりも上流側に接続される。また、蓄電池システムＭｂは、電路Ｌｍにおいて、燃料電池システムＭ１ｆ、燃料電池システムＭ２ｆ、・・・、燃料電池システムＭｎｆよりも上流側に接続される。
【００４３】
また、蓄電池システムＢｂは、電路Ｌ１において、電路Ｌ１ａとの接続部よりも上流側に接続される。
【００４４】
このように、各グループ用の蓄電池システムＢは、各グループにおいて（より詳細には、各グループが接続される電路において）最も上流側に接続される。また、蓄電池システムＢｂは、全てのグループ用の蓄電池システムＢよりも上流側に接続される。
【００４５】
こうして、蓄電池システムＢｂは、各グループの燃料電池システムＦの発電電力のうち電力負荷に対して余剰した電力であって、各グループ用の蓄電池システムＢが充電し切れなかった電力が上流側に流れた場合に、当該上流側に流れた電力を充電して系統電源１００へと流れるのを防止することができる。このように、蓄電池システムＢｂは、各グループの燃料電池システムＦの発電電力が系統電源１００へと流れるのを防止するため、最終の防御手段としての機能を有している。そのため、蓄電池システムＢｂは、後述する逆潮流抑制制御において、電池残量が少ない状態を維持するよう（充電容量をあけておくため）、他のグループ用の蓄電池システムＢと比べて優先的に放電が行われる。
【００４６】
電力検出部Ｄは、電力を検出するものである。電力検出部Ｄは、複数のセンサが含まれる。
【００４７】
具体的には、電力検出部Ｄには、燃料電池システム１１ｆ、燃料電池システム１２ｆ、・・・、燃料電池システム１ｎｆからの電力を検出するセンサ１１ｄ、センサ１２ｄ、・・・、センサ１ｎｄが含まれる。センサ１１ｄ、センサ１２ｄ、・・・、センサ１ｎｄは、それぞれ燃料電池システム１１ｆ、燃料電池システム１２ｆ、・・・、燃料電池システム１ｎｆと電路Ｌ１との間に設けられる。
【００４８】
また、電力検出部Ｄには、燃料電池システム２１ｆ、燃料電池システム２２ｆ、・・・、燃料電池システム２ｎｆからの電力を検出するセンサ２１ｄ、センサ２２ｄ、・・・、センサ２ｎｄが含まれる。センサ２１ｄ、センサ２２ｄ、・・・、センサ２ｎｄは、それぞれ燃料電池システム２１ｆ、燃料電池システム２２ｆ、・・・、燃料電池システム２ｎｆと電路Ｌ２との間に設けられる。
【００４９】
また、電力検出部Ｄには、燃料電池システムＭ１ｆ、燃料電池システムＭ２ｆ、・・・、燃料電池システムＭｎｆからの電力を検出するセンサＭ１ｄ、センサＭ２ｄ、・・・、センサＭｎｄが含まれる。センサＭ１ｄ、センサＭ２ｄ、・・・、センサＭｎｄは、それぞれ燃料電池システムＭ１ｆ、燃料電池システムＭ２ｆ、・・・、燃料電池システムＭｎｆと電路Ｌｍとの間に設けられる。
【００５０】
このように、電力検出部Ｄのうち、センサ１１ｄ、センサ１２ｄ、・・・、センサ１ｎｄや、センサ２１ｄ、センサ２２ｄ、・・・、センサ２ｎｄ、センサＭ１ｄ、センサＭ２ｄ、・・・、センサＭｎｄ等は、それぞれ対応する燃料電池システムＦの発電電力を検出することができる。
【００５１】
また、電力検出部Ｄには、蓄電池システムＢと電路との接続部を流れる電力を検出するセンサとして、センサ１ｄ、センサ２ｄ、・・・、センサＭｄ、及び、センサＤｄが含まれる。
【００５２】
センサ１ｄは、電路Ｌ１において、当該電路Ｌ１と蓄電池システム１ｂとの接続部のすぐ上流側に設けられる。また、センサ２ｄは、電路Ｌ２において、当該電路Ｌ２と蓄電池システム２ｂとの接続部のすぐ上流側に設けられる。また、センサＭｄは、電路Ｌｍにおいて、当該電路Ｌｍと蓄電池システムＭｂとの接続部のすぐ上流側に設けられる。
【００５３】
また、センサＤｄは、電路Ｌ１において、当該電路Ｌ１と蓄電池システムＢｂとの接続部のすぐ上流側に設けられる。センサＤｄは、当該電路Ｌ１と蓄電池システムＢｂとの接続部を流れる電力として、系統電源１００から供給される電力（買電）、及び、系統電源１００へと（逆潮流）される電力（売電）を検出することができる。
【００５４】
なお、本明細書において、系統電源１００から供給される電力を適宜「買電」と称するが、必ずしも系統電源１００から供給される電力に対する対価を電力会社に支払う電力に限定する意図ではない。また同様に、系統電源１００へと供給（逆潮流）される電力を適宜「売電」と称するが、必ずしも系統電源１００へと逆潮流される電力に対する対価が電力会社から支払われる電力に限定する意図ではない。このように、本明細書において「買電」及び「売電」は、対価の支払いの有無を問わない。
【００５５】
また、センサ１ｄ、センサ２ｄ、・・・、センサＭｄ、及び、センサＤｄは、それぞれ対応する蓄電池システムＢと電気的に接続される。センサ１ｄ、センサ２ｄ、・・・、センサＭｄ、及び、センサＤｄは、それぞれ対応する蓄電池システムＢに所定の信号を出力可能に構成される。
【００５６】
具体的には、センサ１ｄは、対応する蓄電池システムＢとして、蓄電池システム１ｂと接続される。こうして、蓄電池システム１ｂは、センサ１ｄの検出結果を取得することができる。また、センサ２ｄは、対応する蓄電池システムＢとして、蓄電池システム２ｂと接続される。こうして、蓄電池システム２ｂは、センサ２ｄの検出結果を取得することができる。また、センサＭｄは、対応する蓄電池システムＢとして、蓄電池システムＭｂと接続される。こうして、蓄電池システムＭｂは、センサＭｄの検出結果を取得することができる。また、センサＢｄは、対応する蓄電池システムＢとして、蓄電池システムＢｂと接続される。こうして、蓄電池システムＢｂは、センサＢｄの検出結果を取得することができる。
【００５７】
ＥＭＳ２０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ２０は、ＲＡＭやＲＯＭ等の記憶部や、ＣＰＵ等の演算処理部、Ｉ／Ｏ等の入出力部等を具備する。ＥＭＳ２０は、所定の演算処理や記憶処理等を行うことができる。ＥＭＳ２０には、電力供給システム１の動作を管理するための種々の情報やプログラム等が予め記憶される。
【００５８】
また、ＥＭＳ２０は、図２に示すように、各蓄電池システムＢと電気的に接続される。ＥＭＳ２０は、所定の信号を各蓄電池システムＢに出力可能に構成される。こうして、ＥＭＳ２０は、各蓄電池システムＢの動作（例えば、エコモードと停止モードとの切り替え）を制御することができる。また、ＥＭＳ２０は、各蓄電池システムＢから所定の信号が入力可能に構成される。こうして、ＥＭＳ２０は、各蓄電池システムＢの動作に関する情報を取得することができる。
【００５９】
また、ＥＭＳ２０は、電力検出部Ｄと電気的に接続される。ＥＭＳ２０は電力検出部Ｄ（より詳細には、センサ１１ｄ等）から所定の信号が入力可能に構成される。こうして、ＥＭＳ２０は、電力検出部Ｄ（より詳細には、センサ１１ｄ等）の検出結果を取得することができる。
【００６０】
以下では、図３及び図４を用いて、上述の如く構成された電力供給システム１における電力の供給態様の一例について説明する。
【００６１】
なお、本実施形態において、前記マンションは、複数の住居Ｈを複数のグループに分けているが、これ以降の説明においては便宜上、第１グループＧ１と第２グループＧ２と第ＭグループＧｍとの３つのグループに分けられているものとする。また、第１グループＧ１、第２グループＧ２及び第ＭグループＧｍは、それぞれ複数の住居Ｈとして３つの住居を有するものとする。また、前記「Ｍ」及び「ｎ」には、数を代入せず、上記説明で用いた名称をそのまま使用するものとする。
【００６２】
また、図３においては、第１グループＧ１の住居１１、住居１２及び住居１ｎの電力負荷の合計（以下では単に「電力負荷」と称する）が、１８００Ｗであるものとする。第２グループＧ２の住居２１、住居２２、・・・、住居２ｎの電力負荷が、２４００Ｗであるものとする。また、第ＭグループＧｍの住居Ｍ１、住居Ｍ２及び住居Ｍｎの電力負荷が、２１００Ｗであるものとする。
【００６３】
この図３に示す一例においては、第１グループＧ１の住居１１、住居１２及び住居１ｎの３つの燃料電池システムＦは、合計の発電電力が２１００Ｗであるため、第１グループＧ１の電力負荷に対して３００Ｗ余剰することとなる。
【００６４】
また、第２グループＧ２の住居２１、住居２２及び住居２ｎの３つの燃料電池システムＦは、合計の発電電力が２１００Ｗであるため、第２グループＧ２の電力負荷に対して３００Ｗ不足することとなる。
【００６５】
また、第ＭグループＧｍの住居Ｍ１、住居Ｍ２及び住居Ｍｎの３つの燃料電池システムＦは、合計の発電電力が２１００Ｗであるため、第ＭグループＧｍの電力負荷に対して過不足がないこととなる。
【００６６】
このような場合、第１グループＧ１の３つの燃料電池システムＦの余剰電力（３００Ｗ）は、上流側へ流れて、電路Ｌ１及び電路Ｌ１ａを介して電路Ｌ２へと流入する。こうして、電路Ｌ２に流入した余剰電力（３００Ｗ）は、第２グループＧ２の３つの燃料電池システムＦが電力負荷に対して不足した電力を賄うこととなる。
【００６７】
こうして、図３に示す一例においては、第１グループＧ１、第２グループＧ２及び第ＭグループＧｍの全ての燃料電池システムＦの合計の発電電力は、第１グループＧ１、第２グループＧ２及び第ＭグループＧｍの合計の電力負荷と等しいため、系統電源１００から電力が買電されたり、又は当該系統電源１００へと電力が売電されることはない。
【００６８】
このように、電力供給システム１においては、第１グループＧ１の各住居Ｈの燃料電池システムＦ、第２グループＧ２の各住居Ｈの燃料電池システムＦ、及び、第ＭグループＧｍの各住居Ｈの燃料電池システムＦの発電電力を、当該燃料電池システムＦを所有する住居Ｈだけでなく、他の住居Ｈでも使用することができる（他の住居Ｈへと融通することができる）。
【００６９】
次に、図４においては、第１グループＧ１の住居１１、住居１２及び住居１ｎの電力負荷が、１８００Ｗであるものとする。第２グループＧ２の住居２１、住居２２、・・・、住居２ｎの電力負荷が、２４００Ｗであるものとする。また、第ＭグループＧｍの住居Ｍ１、住居Ｍ２及び住居Ｍｎの電力負荷が、１０００Ｗであるものとする。
【００７０】
この図４に示す一例においては、第１グループＧ１の３つの燃料電池システムＦは、合計の発電電力が２１００Ｗであるため、第１グループＧ１の電力負荷に対して３００Ｗ余剰することとなる。
【００７１】
また、第２グループＧ２の住居２１、住居２２及び住居２ｎの３つの燃料電池システムＦは、合計の発電電力が２１００Ｗであるため、第２グループＧ２の電力負荷に対して３００Ｗ不足することとなる。
【００７２】
また、第ＭグループＧｍの住居Ｍ１、住居Ｍ２及び住居Ｍｎの３つの燃料電池システムＦは、合計の発電電力が２１００Ｗであるため、第ＭグループＧｍの電力負荷に対して１１００Ｗ余剰することとなる。
【００７３】
このような場合、第ＭグループＧｍの３つの燃料電池システムＦの余剰電力（１１００Ｗ）は上流側へ流れて、一部が電路Ｌ１ａから電路Ｌ２へと流入すると共に、残りの一部が電路Ｌ１ａから電路Ｌ１に流入し、系統電源１００側へと流れる。こうして、電路Ｌ２に流入した一部の余剰電力（３００Ｗ）は、第２グループＧ２の３つの燃料電池システムＦが電力負荷に対して不足した電力を賄うこととなる。また、系統電源１００側に流れた残りの一部の余剰電力（８００）は、第１グループＧ１の３つの燃料電池システムＦの余剰電力（３００Ｗ）と合わさった電力（１１００Ｗ）として、系統電源１００へと売電されることとなる。
【００７４】
こうして、図４に示す一例においては、第１グループＧ１、第２グループＧ２及び第ＭグループＧｍの全ての燃料電池システムＦの合計の発電電力は、第１グループＧ１、第２グループＧ２及び第ＭグループＧｍの合計の電力負荷よりも大きいため、一部の発電電力が系統電源１００へと売電（逆潮流）されることとなる。
【００７５】
ここで、燃料電池システムＦの発電電力は、系統電源１００へ逆潮流させたくない場合がある。例えば、系統電源１００へ電力が逆潮流（売電）した場合であっても、当該逆潮流した電力に対する対価が電力会社から得られないような場合である。このような場合、燃料電池システムＦを所有する住居Ｈ（当該住居Ｈの住人）は、都市ガスの費用（光熱費）の負担があるにもかかわらず、発電電力が有効活用されないため、不利益となる。
【００７６】
そこで、電力供給システム１においては、燃料電池システムＦから系統電源１００への逆潮流を減少させるための制御（以下では「逆潮流抑制制御」と称する）を行うことにより、住居Ｈの住人が不利益となるのを防止している。
【００７７】
以下では、図５から図７のフローチャートを用いて、第一実施形態に係る逆潮流抑制制御の処理を実行する場合におけるＥＭＳ２０の処理について説明する。
【００７８】
逆潮流抑制制御は、蓄電池システムＢのモードがエコモード又は停止モードに適宜切り替えられることにより実行される。なお以下では、蓄電池システムＢのモードは、初期設定として停止モードが実行されているものとする。すなわち、蓄電池システムＢは、初期設定において、充電も放電も行っていない。
【００７９】
まずステップＳ１０１において、ＥＭＳ２０は、電力供給システム１の全体の電力使用状況、各蓄電池システムＢの運転状態、及び、各蓄電池システムＢの電池残量の確認を行う。なお、蓄電池システムＢの電池残量とは、蓄電池システムＢの電池に残されている電力量を指している。ＥＭＳ２０は、ステップＳ１０１の処理を実行した後、ステップＳ１０２の処理を実行する。
【００８０】
ステップＳ１０２において、ＥＭＳ２０は、買電状態であるか否か（系統電源１００から電力が供給されているか否か）を判定する。ＥＭＳ２０は、センサＤｄの検出結果に基づいて、買電状態であると判定した場合（ステップＳ１０２：ＹＥＳ）、ステップＳ１０３の処理を実行する。一方、ＥＭＳ２０は、センサＤｄの検出結果に基づいて、買電状態ではないと判定した場合（ステップＳ１０２：ＮＯ）、ステップＳ１０５の処理を実行する。
【００８１】
ステップＳ１０３において、ＥＭＳ２０は、全ての蓄電池システムＢが放電状態であるか否かを判定する。ＥＭＳ２０は、全ての蓄電池システムＢが放電状態であると判定した場合（ステップＳ１０３：ＹＥＳ）、逆潮流抑制制御の処理を終了する。
【００８２】
この場合、新たに放電を開始できる蓄電池システムＢはないため、買電状態が継続されることとなる。
【００８３】
これに対して、ステップＳ１０３において、ＥＭＳ２０は、全ての蓄電池システムＢが放電状態ではないと判定した場合（ステップＳ１０３：ＮＯ）、ステップＳ１０４の処理を実行する。
【００８４】
ステップＳ１０４において、ＥＭＳ２０は、放電状態ではない全ての蓄電池システムＢの電池残量が最少であるか否かを判定する。なお、電池残量が最少とは、蓄電池システムＢの電池残量が、放電できなくなる任意の規定値以下となった状態を指すものである。ＥＭＳ２０は、放電状態ではない全ての蓄電池システムＢの電池残量が最少であると判定した場合（ステップＳ１０４：ＹＥＳ）、逆潮流抑制制御の処理を終了する。
【００８５】
この場合、新たに放電を開始できる蓄電池システムＢはないため、買電状態が継続されることとなる。
【００８６】
これに対して、ステップＳ１０４において、ＥＭＳ２０は、放電状態ではない全ての蓄電池システムＢの電池残量が最少ではないと判定した場合（ステップＳ１０４：ＮＯ）、ステップＳ１２１の処理を実行する。
【００８７】
この場合、いずれかの蓄電池システムＢが放電可能な程度に電池残量を有しているにもかかわらず、停止モードであるために放電が行われず、買電状態（系統電源１００から電力が供給されている状態）になっていると想定される。したがって、ステップＳ１２１以降の処理において、ＥＭＳ２０は、系統電源１００から供給されている電力を蓄電池システムＢの放電電力で賄うため、いずれかの蓄電池システムＢをエコモードに変更する。
【００８８】
ステップＳ１２１において、ＥＭＳ２０は、蓄電池システムＢｂが放電状態であるか否かを判定する。ＥＭＳ２０は、蓄電池システムＢｂが放電状態であると判定した場合（ステップＳ１２１：ＹＥＳ）、ステップＳ１２２の処理を実行する。一方、ＥＭＳ２０は、蓄電池システムＢｂが放電状態ではないと判定した場合（ステップＳ１２１：ＮＯ）、ステップＳ１２４の処理を実行する。
【００８９】
ステップＳ１２４において、ＥＭＳ２０は、蓄電池システムＢｂの電池残量が最少であるか否かを判定する。ＥＭＳ２０は、蓄電池システムＢｂの電池残量が最少ではないと判定した場合（ステップＳ１２４：ＮＯ）、ステップＳ１２５の処理を実行する。一方、ＥＭＳ２０は、蓄電池システムＢｂの電池残量が最少であると判定した場合（ステップＳ１２４：ＹＥＳ）、ステップＳ１２２の処理を実行する。
【００９０】
ステップＳ１２５において、ＥＭＳ２０は、蓄電池システムＢｂのモードをエコモードに切り替える。ＥＭＳ２０は、ステップＳ１２５の処理を実行した後、逆潮流抑制制御の処理を終了する。
【００９１】
このように、蓄電池システムＢｂが放電状態ではなく（ステップＳ１２１：ＮＯ）、且つ、蓄電池システムＢｂの電池残量が最少ではない（ステップＳ１２４：ＮＯ）場合には、蓄電池システムＢｂが放電可能な程度に電池残量を有しているにもかかわらず、停止モードであるために放電が行われていないと想定される。そこで、蓄電池システムＢｂは、モードをエコモードに切り替えられる（ステップＳ１２５）。こうして、蓄電池システムＢｂは、他のグループ用の蓄電池システムＢと比べて優先的に放電が行われ、電池残量が少ない状態を維持する（充電容量をあけておく）ことができる。
【００９２】
これに対して、蓄電池システムＢｂが放電状態である場合（ステップＳ１２１：ＹＥＳ）や、蓄電池システムＢｂの電池残量が最少である場合（ステップＳ１２４：ＹＥＳ）には、蓄電池システムＢｂを新たに放電させることが不可能であるため、当該蓄電池システムＢｂではなく、グループ用の蓄電池システムＢの中からいずれかの蓄電池システムＢをエコモードに変更する。
【００９３】
そして、ステップＳ１２２において、ＥＭＳ２０は、グループ用の蓄電池システムＢ（複数のグループにそれぞれ１つずつ設けられる蓄電池システムＢ）の中で、停止モード且つ買電状態の蓄電池システムＢがあるか否かを判定する。
【００９４】
なお、買電状態の蓄電池システムＢとは、当該蓄電池システムＢと電路との接続部において、電力負荷側（下流側）に電力が流れている蓄電池システムＢを指すものである。すなわち、買電状態の蓄電池システムＢがあることは、当該蓄電池システムＢの下流側に接続された住居Ｈ（電力負荷）に対して燃料電池システムＦの発電電力が不足していることを指している。
【００９５】
ステップＳ１２２において、ＥＭＳ２０は、グループ用の蓄電池システムＢの中で、停止モード且つ買電状態の蓄電池システムＢがあると判定した場合（ステップＳ１２２：ＹＥＳ）、ステップＳ１２３の処理を実行する。
【００９６】
ステップＳ１２３において、ＥＭＳ２０は、グループ用の蓄電池システムＢの中で、停止モード且つ買電状態の蓄電池システムＢのうち、電池残量が最大の蓄電池システムＢのモードをエコモードに切り替える。ＥＭＳ２０は、ステップＳ１２３の処理を実行した後、逆潮流抑制制御の処理を終了する。
【００９７】
このように、グループ用の蓄電池システムＢの中で、停止モード且つ買電状態の蓄電池システムＢがある場合（ステップＳ１２２：ＹＥＳ）には、当該蓄電池システムＢの放電が行われないことによって買電状態（系統電源１００から電力が供給されている状態）になっていると想定される。したがって、ステップＳ１２３の処理を行って、蓄電池システムＢの放電を開始させることにより、買電状態の解消を図っている。またこの際、電池残量が最大のグループ用の蓄電池システムＢから放電を開始させるため、複数の蓄電池システムＢの電池残量の均等化を図ることができる。
【００９８】
ここで、図８及び図９を用いて、買電状態（系統電源１００から電力が供給されている状態）である場合の、電力の供給態様の一例について説明する。
【００９９】
なお、これ以降の図面において、蓄電池システムＢ上に図示した（％）は、当該蓄電池システムＢの電池残量の大きさを示しているとする。なお、蓄電池システムＢｂ上に図示した１０％は、電池残量が最少であることを示している。また、これ以降の図面において、電力が流れていない電路を、便宜上破線で図示するものとする。
【０１００】
図８に示す一例においては、系統電源１００から３００Ｗの買電が行われている。また、第１グループＧ１の３つの燃料電池システムＦの発電電力は、３００Ｗだけ余剰している。こうして、系統電源１００からの買電（３００Ｗ）及び第１グループＧ１の３つの燃料電池システムＦの余剰電力（３００Ｗ）は合わさって、電路Ｌ１ａへと流入している。
【０１０１】
このような場合、蓄電池システムＢｂが放電状態ではなく（ステップＳ１２１：ＮＯ）、且つ、蓄電池システムＢｂの電池残量が最少であるため（ステップＳ１２４：ＹＥＳ）、グループ用の蓄電池システムＢの中で、停止モード且つ買電状態の蓄電池システムＢがあるか否かが判定される（ステップＳ１２２）。ここで、図８を参照すると、第２グループＧ２の蓄電池システム２ｂ及び第ＭグループＧｍの蓄電池システムＭｂが、停止モード且つ買電状態となっている。
【０１０２】
そこで、第２グループＧ２の蓄電池システム２ｂ及び第ＭグループＧｍの蓄電池システムＭｂの電池残量を比較すると、（電池残量が８０％の）蓄電池システム２ｂのほうが（電池残量７０％の）蓄電池システムＭｂよりも電池残量が大きい。すなわち、蓄電池システム２ｂが、停止モード且つ買電状態の蓄電池システムＢであって、且つ電池残量が最大となっている。こうして、蓄電池システム２ｂが、停止モードからエコモードに変更される（ステップＳ１２３）。
【０１０３】
蓄電池システム２ｂが、停止モードからエコモードに変更されると、負荷追従機能に基づいて放電が開始される。具体的には、蓄電池システム２ｂは、センサ２ｄの検出結果により、当該蓄電池システム２ｂと電路Ｌ２との接続部を流れる電力の大きさを取得する。こうして、蓄電池システム２ｂは、前記接続部を流れる電力に相当する３００Ｗを負荷追従機能に基づいて放電する。
【０１０４】
その結果、図９に示すように、第２グループＧ２の電力負荷は、当該第２グループＧ２の３つの燃料電池システムＦの発電電力と蓄電池システム２ｂの放電電力とにより賄われることとなる。また、第１グループＧ１の３つの燃料電池システムＦの余剰電力（３００Ｗ）は、電路Ｌ１ａから電路Ｌｍに流入し、第ＭグループＧｍの３つの燃料電池システムＦが電力負荷に対して不足した電力を賄うこととなる。
【０１０５】
このように、図８及び図９に示す一例においては、逆潮流抑制制御を実行することによって、系統電源１００から買電されたり、又は当該系統電源１００へと売電されるのを防止している。またこの際、電池残量が最大のグループ用の蓄電池システムＢ（蓄電池システム２ｂ）から放電を行っているので、複数の蓄電池システムＢの電池残量の均等化を図ることができる。
【０１０６】
なお、ステップＳ１２２において、ＥＭＳ２０は、グループ用の蓄電池システムＢの中で、停止モード且つ買電状態の蓄電池システムＢがないと判定した場合（ステップＳ１２２：ＮＯ）、ステップＳ１２６の処理を実行する。
【０１０７】
ステップＳ１２６において、ＥＭＳ２０は、全ての蓄電池システムＢ（蓄電池システムＢｂ及びグループ用の蓄電池システムＢ）の中で充電状態の蓄電池システムＢがあるか否かを判定する。ＥＭＳ２０は、全ての蓄電池システムＢの中で充電状態の蓄電池システムＢがあると判定した場合（ステップＳ１２６：ＹＥＳ）、ステップＳ１２７の処理を実行する。
【０１０８】
ステップＳ１２７において、ＥＭＳ２０は、全ての蓄電池システムＢの中で、充電状態である蓄電池システムＢのうち、電池残量が最大の蓄電池システムＢのモードを停止モードに切り替える。ＥＭＳ２０は、ＥＭＳ２０は、ステップＳ１２７の処理を実行した後、逆潮流抑制制御の処理を終了する。
【０１０９】
このように、グループ用の蓄電池システムＢの中で、停止モード且つ買電状態の蓄電池システムＢがなく（ステップＳ１２２：ＮＯ）、且つ、全ての蓄電池システムＢの中で充電状態の蓄電池システムＢがある場合（ステップＳ１２６：ＹＥＳ）には、当該充電状態の蓄電池システムＢによって買電状態（系統電源１００から電力が供給されている状態）になっていると想定される。したがって、ステップＳ１２７の処理を行って、蓄電池システムＢの充電を停止させることにより、買電状態の解消を図っている。またこの際、電池残量が最大の蓄電池システムＢから充電を停止させるため、複数の蓄電池システムＢの電池残量の均等化を図ることができる。
【０１１０】
これに対して、ステップＳ１２６において、ＥＭＳ２０は、全ての蓄電池システムＢの中で充電状態の蓄電池システムＢがないと判定した場合（ステップＳ１２６：ＮＯ）、逆潮流抑制制御の処理を終了する。
【０１１１】
このように、グループ用の蓄電池システムＢの中で、停止モード且つ買電状態の蓄電池システムＢがなく（ステップＳ１２２：ＮＯ）、且つ、全ての蓄電池システムＢの中で充電状態の蓄電池システムＢがない場合（ステップＳ１２６：ＮＯ）には、買電状態（系統電源１００から電力が供給されている状態）が蓄電池システムＢの充電に行われたものでない（例えば、全体の電力負荷が燃料電池システムＦの合計の発電電力よりも大きい）と想定される。そのため、蓄電池システムＢは、モードを変更しない。
【０１１２】
次に、買電状態（系統電源１００から電力が供給されている状態）ではないと判定された場合（ステップＳ１０２：ＮＯ）に実行されるステップＳ１０５において、当該ＥＭＳ２０は、売電状態（系統電源１００へと電力が供給されている状態）であるか否かを判定する。ＥＭＳ２０は、センサＤｄの検出結果に基づいて、売電状態ではないと判定した場合（ステップＳ１０５：ＮＯ）、逆潮流抑制制御の処理を終了する。一方、ＥＭＳ２０は、センサＤｄの検出結果に基づいて、売電状態であると判定した場合（ステップＳ１０５：ＹＥＳ）、ステップＳ１０６の処理を実行する。
【０１１３】
ステップＳ１０６において、ＥＭＳ２０は、全ての蓄電池システムＢが充電状態であるか否かを判定する。ＥＭＳ２０は、全ての蓄電池システムＢが充電状態であると判定した場合（ステップＳ１０６：ＹＥＳ）、逆潮流抑制制御の処理を終了する。
【０１１４】
この場合、新たに充電を開始できる蓄電池システムＢがないため、売電状態が継続されることとなる。
【０１１５】
これに対して、ステップＳ１０６において、ＥＭＳ２０は、全ての蓄電池システムＢが充電状態ではないと判定した場合（ステップＳ１０６：ＮＯ）、ステップＳ１０７の処理を実行する。
【０１１６】
ステップＳ１０７において、ＥＭＳ２０は、全ての蓄電池システムＢの電池残量が最大であるか否かを判定する。なお、電池残量が最大とは、蓄電池システムＢの電池残量が、充電できなくなる任意の規定値以上となった状態を指すものである。ＥＭＳ２０は、全ての蓄電池システムＢの電池残量が最大であると判定した場合（ステップＳ１０７：ＹＥＳ）、逆潮流抑制制御の処理を終了する。
【０１１７】
この場合、新たに充電を開始できる蓄電池システムＢがないため、売電状態が継続されることとなる。
【０１１８】
これに対して、ステップＳ１０７において、ＥＭＳ２０は、全ての蓄電池システムＢの電池残量が最大ではないと判定した場合（ステップＳ１０７：ＮＯ）、ステップＳ１３１の処理を実行する。
【０１１９】
ステップＳ１３１において、ＥＭＳ２０は、全ての蓄電池システムＢの中で放電状態の蓄電池システムＢがあるか否かを判定する。ＥＭＳ２０は、全ての蓄電池システムＢの中で放電状態の蓄電池システムＢがあると判定した場合（ステップＳ１３１：ＹＥＳ）、ステップＳ１３２の処理を実行する。
【０１２０】
ステップＳ１３２において、ＥＭＳ２０は、全ての蓄電池システムＢの中で、放電状態である蓄電池システムＢのうち、電池残量が最少の蓄電池システムＢのモードを停止モードに切り替える。ＥＭＳ２０は、ＥＭＳ２０は、ステップＳ１３２の処理を実行した後、逆潮流抑制制御の処理を終了する。
【０１２１】
この場合、放電状態の蓄電池システムＢによって売電状態（系統電源１００へ電力が供給されている状態）になっていると想定される。したがって、ステップＳ１３２の処理を行って、蓄電池システムＢの放電を停止させることにより、売電状態の解消を図っている。またこの際、電池残量が最少の蓄電池システムＢから放電を停止させるため、複数の蓄電池システムＢの電池残量の均等化を図ることができる。
【０１２２】
これに対して、ステップＳ１３１において、ＥＭＳ２０は、全ての蓄電池システムＢの中で放電状態の蓄電池システムＢがないと判定した場合（ステップＳ１３１：ＮＯ）、ステップＳ１３３の処理を実行する。
【０１２３】
ステップＳ１３３において、ＥＭＳ２０は、蓄電池システムＢｂが充電状態であるか否かを判定する。ＥＭＳ２０は、蓄電池システムＢｂが充電状態であると判定した場合（ステップＳ１３３：ＹＥＳ）、逆潮流抑制制御の処理を終了する。
【０１２４】
この場合、蓄電池システムＢｂ以外の、全てのグループ用の蓄電池システムＢも充電状態であると想定される。すなわち、これ以上蓄電池システムＢへの充電電力を増加させることができないため、売電状態が継続されることとなる。
【０１２５】
これに対して、ステップＳ１３３において、ＥＭＳ２０は、蓄電池システムＢｂが充電状態ではないと判定した場合（ステップＳ１３３：ＮＯ）、ステップＳ１３４の処理を実行する。
【０１２６】
ステップＳ１３４において、ＥＭＳ２０は、全てのグループ用の蓄電池システムＢが充電状態であるか否かを判定する。ＥＭＳ２０は、全てのグループ用の蓄電池システムＢが充電状態であると判定した場合（Ｓ１３４：ＹＥＳ）、ステップＳ１３５の処理を実行する。
【０１２７】
ステップＳ１３５において、ＥＭＳ２０は、蓄電池システムＢｂのモードをエコモードに切り替える。ＥＭＳ２０は、ステップＳ１２５の処理を実行した後、逆潮流抑制制御の処理を終了する。
【０１２８】
この場合、全てのグループ用の蓄電池システムＢは充電状態であるため、これ以上グループ用の蓄電池システムＢへの充電電力を増加させることができない。したがって、売電状態を解消するため、蓄電池システムＢｂを停止モードからエコモードに変更する。こうして、蓄電池システムＢｂが充電状態となるため、売電状態の解消を図ることができる。このように、蓄電池システムＢｂは、全てのグループ用の蓄電池システムＢに対して、最後に充電状態になるように設定される。
【０１２９】
これに対して、ステップＳ１３４において、ＥＭＳ２０は、全てのグループ用の蓄電池システムＢが充電状態ではないと判定した場合（Ｓ１３４：ＮＯ）、ステップＳ１３６の処理を実行する。
【０１３０】
ステップＳ１３６において、ＥＭＳ２０は、グループ用の蓄電池システムＢの中で、停止モード且つ売電状態の蓄電池システムＢがあるか否かを判定する。
【０１３１】
なお、売電状態の蓄電池システムＢとは、当該蓄電池システムＢと電路との接続部において、系統電源１００側（上流側）に電力が流れている蓄電池システムＢを指すものである。すなわち、売電状態の蓄電池システムＢがあることは、当該蓄電池システムＢの下流側に接続された住居Ｈ（電力負荷）に対して燃料電池システムＦの発電電力が余剰していることを指している。
【０１３２】
ステップＳ１３６において、ＥＭＳ２０は、グループ用の蓄電池システムＢの中で、停止モード且つ売電状態の蓄電池システムＢがあると判定した場合（ステップＳ１３６：ＹＥＳ）、ステップＳ１３７の処理を実行する。
【０１３３】
ステップＳ１３７において、ＥＭＳ２０は、グループ用の蓄電池システムＢの中で、停止モード且つ売電状態の蓄電池システムＢのうち、電池残量が最少の蓄電池システムＢのモードをエコモードに切り替える。ＥＭＳ２０は、ステップＳ１３７の処理を実行した後、逆潮流抑制制御の処理を終了する。
【０１３４】
このように、グループ用の蓄電池システムＢの中で、停止モード且つ売電状態の蓄電池システムＢがある場合（ステップＳ１３６：ＹＥＳ）には、当該蓄電池システムＢの充電が行われていないことによって売電状態（系統電源１００から電力が供給されている状態）になっていると想定される。したがって、ステップＳ１３７の処理を行って、蓄電池システムＢの充電を開始させることにより、売電状態の解消を図っている。またこの際、電池残量が最少のグループ用の蓄電池システムＢから充電を開始させるため、複数の蓄電池システムＢの電池残量の均等化を図ることができる。
【０１３５】
これに対して、ＥＭＳ２０は、グループ用の蓄電池システムＢの中で、停止モード且つ売電状態の蓄電池システムＢがないと判定した場合（ステップＳ１３６：ＮＯ）、逆潮流抑制制御の処理を終了する。
【０１３６】
ここで、図４、図１０から図１２を用いて、売電状態（系統電源１００へ電力が供給されている状態）である場合の、電力の供給態様の一例について説明する。
【０１３７】
上述の如く、図４に示す一例においては、１１００Ｗの売電が行われている。この一例においては、全ての蓄電池システムＢの中で放電状態の蓄電池システムＢがなく（ステップＳ１３１：ＮＯ）、また蓄電池システムＢｂが充電状態ではなく（ステップＳ１３３：ＮＯ）、また全てのグループ用の蓄電池システムＢが充電状態ではなく（ステップＳ１３４：ＮＯ）、またグループ用の蓄電池システムＢの中で、停止モード且つ売電状態の蓄電池システムＢがある（ステップＳ１３６：ＹＥＳ）ため、停止モード且つ売電状態のグループ用の蓄電池システムＢのうち、電池残量が最少の蓄電池システムＢのモードがエコモードに切り替えられる（ステップＳ１３７）。
【０１３８】
ここで、図４に示す一例においては、停止モード且つ売電状態のグループ用の蓄電池システムＢ（具体的には、蓄電池システム１ｂ及び蓄電池システムＭｂ）のうち、蓄電池システム１ｂが、電池残量が最少（６０％）である（図１０参照）。したがって、図１０に示すように、蓄電池システム１ｂがエコモードに切り替えられ、当該蓄電池システム１ｂの充電が開始される。
【０１３９】
こうして、図１０に示すように、蓄電池システム１ｂは、第１グループＧ１の３つの燃料電池システムＦの余剰した電力（３００Ｗ）を充電する。すなわち、１１００Ｗから減少したものの、未だ８００Ｗの売電が行われており、売電状態が継続している。
【０１４０】
このような場合、上記と同様の処理（ステップＳ１３１：ＮＯ、ステップＳ１３３：ＮＯ、ステップＳ１３４：ＮＯ、ステップＳ１３６：ＹＥＳ、ステップＳ１３７）が行われて、蓄電池システム１ｂの次に蓄電池システムＭｂのモードがエコモードに切り替えられる（ステップＳ１３７）。こうして、蓄電池システムＭｂがエコモードに切り替えられ、当該蓄電池システムＭｂの充電が開始される。
【０１４１】
こうして、図１１に示すように、蓄電池システムＭｂは、第ＭグループＧＭの３つの燃料電池システムＦの余剰した電力（１１００Ｗ）を充電する。すなわち、売電状態が解消すると共に、次は３００Ｗの買電が行われるため、買電状態となる。
【０１４２】
このような場合、蓄電池システムＢｂが放電状態ではなく（ステップＳ１２１：ＮＯ）、また蓄電池システムＢｂの電池残量が最少ではない（ステップＳ１２４：ＮＯ）ため、蓄電池システムＢｂのモードがエコモードに切り替えられる（ステップＳ１２５）。
【０１４３】
こうして、蓄電池システムＢｂが、停止モードからエコモードに変更されると、負荷追従機能に基づいて放電が開始される。具体的には、まず蓄電池システムＢｂは、センサＤｄの検出結果により、当該蓄電池システムＢｂと電路Ｌ１との接続部を流れる電力の大きさを取得する。こうして、蓄電池システムＢｂは、前記接続部を流れる電力に相当する３００Ｗを負荷追従機能に基づいて放電する。
【０１４４】
以上のように、本発明の第一実施形態に係る電力供給システム１は、
系統電源１００と電力負荷とを結ぶ電路の一部であって、互いに分岐してそれぞれに前記電力負荷（住居Ｈ）が接続された複数の分岐電路（電路Ｌ１の下流側の部分、電路Ｌ２や電路Ｌｍ）と、
各電力負荷に対応して設けられ、対応する前記各電力負荷と各分岐電路を介して接続されたグループ用の蓄電池システムＢと、
前記各電力負荷と前記各電力負荷に対応する各グループ用の蓄電池システムＢとの間に接続された燃料電池システムＦと、
系統電源１００へ流れる電力を検出可能な電力検出部Ｄと、
前記電力検出部Ｄの検出結果に基づいて前記グループ用の蓄電池システムＢの動作を制御するＥＭＳ２０（制御部）と、
を具備し、
前記ＥＭＳ２０（制御部）は、
系統電源１００へ流れる電力が検出された場合には（ステップＳ１０２：ＮＯ）、
前記各電力負荷と接続された前記グループ用の蓄電池システムＢのうち、放電状態の前記グループ用の蓄電池システムＢを抽出し、
抽出した放電状態の前記グループ用の蓄電池システムＢのうち、電池残量の低い順に放電状態を停止するものである（ステップＳ１３１：ＹＥＳ、ステップＳ１３２）。
【０１４５】
このような構成により、複数の蓄電池システムＢ（グループ用の蓄電池システムＢ）を具備し、これらの蓄電池システムＢを好適に動かすことができる。
具体的には、放電状態の蓄電池システムＢによって売電状態（系統電源１００へ電力が供給されている状態）になっている場合に、当該蓄電池システムＢの放電を停止させることにより、売電状態の解消を図ることができる。
こうして、売電が行われている場合に、売電状態の解消を図ることができるため、例えば、系統電源１００へ電力が逆潮流（売電）した場合であっても、当該逆潮流した電力に対する対価が電力会社から得られないような場合に、都市ガス（燃料）を用いて無駄な発電が行われるのを防止することができる。
またこの際、電池残量が最少の蓄電池システムＢから放電を停止させるため、複数の蓄電池システムＢの電池残量の均等化を図ることができる。
【０１４６】
また、電力供給システム１においては、
複数の前記分岐電路と系統電源１００とを結ぶ電路（電路Ｌ１の上流側の部分）に接続された蓄電池システムＢｂをさらに具備し、
前記各電力負荷と接続された前記グループ用の蓄電池システムＢが全て充電状態の場合に、前記蓄電池システムＢｂを充電状態とするものである（ステップＳ１３４：ＹＥＳ、ステップＳ１３５）。
【０１４７】
このような構成により、全てのグループ用の蓄電池システムＢが充電状態である場合に、蓄電池システムＢｂの充電を開始させることができる。こうして、グループ用の蓄電池システムＢがこれ以上充電できない場合に、蓄電池システムＢｂの充電によって、売電状態の解消を図ることができる。
また、蓄電池システムＢｂは、充電を行うための優先順位が、全てのグループ用の蓄電池システムＢよりも低く設定されている。こうして、蓄電池システムＢｂは、全てのグループ用の蓄電池システムＢと比べて、電池残量が少ない状態を維持する（充電容量をあけておく）ことができる。すなわち、蓄電池システムＢｂは、例えばグループ用の燃料電池システムＦの発電電力が余剰した場合に、当該余剰した電力が系統電源１００へと流れるのを防止することができ、最終の防御手段としての機能を果たすことができる。
【０１４８】
また、電力供給システム１においては、
前記各電力負荷と接続された前記グループ用の蓄電池システムＢに充放電の停止状態であって、且つ、前記分岐電路との接続部を電力が系統電源１００側に流れている前記グループ用の蓄電池システムＢがある場合には（ステップＳ１３６：ＹＥＳ）、
前記分岐電路との接続部を電力が系統電源１００側に流れている前記グループ用の蓄電池システムＢのうち、電池残量の低い順に充電状態とするものである（ステップＳ１３７）。
【０１４９】
このような構成により、グループ用の蓄電池システムＢの充放電が停止しているために売電状態（系統電源１００へ電力が供給されている状態）になっている場合に、グループ用の蓄電池システムＢの充電を開始させることにより、売電状態の解消を図ることができる。
またこの際、電池残量が最少の蓄電池システムＢから充電を開始させるため、複数の蓄電池システムＢの電池残量の均等化を図ることができる。
【０１５０】
また、電力供給システム１においては、
複数の前記分岐電路と系統電源１００とを結ぶ電路（電路Ｌ１の上流側の部分）に接続された蓄電池システムＢｂをさらに具備し、
前記電力検出部Ｄは、系統電源１００から流れてくる電力を検出可能であり、
前記ＥＭＳ２０（制御部）は、
系統電源１００から流れてくる電力が検出された場合には、
前記蓄電池システムＢｂを放電状態とするものである（ステップＳ１２１：ＮＯ、ステップＳ１２５）。
【０１５１】
このような構成により、蓄電池システムＢｂの放電を行うことによって、買電状態の解消を図ることができる。
また、蓄電池システムＢｂは、放電を行うための優先順位が、全てのグループ用の蓄電池システムＢよりも高く設定されている。こうして、蓄電池システムＢｂは、全てのグループ用の蓄電池システムＢと比べて、電池残量が少ない状態を維持する（充電容量をあけておく）ことができる。すなわち、蓄電池システムＢｂは、例えばグループ用の燃料電池システムＦの発電電力が余剰した場合に、当該余剰した電力が系統電源１００へと流れるのを防止することができ、最終の防御手段としての機能を有することができる。
【０１５２】
また、電力供給システム１においては、
前記蓄電池システムＢｂが放電状態であって、且つ、前記分岐電路との接続部を電力が前記電力負荷側に流れている前記グループ用の蓄電池システムＢがある場合には（ステップＳ１２１：ＹＥＳ、ステップＳ１２２：ＹＥＳ）、
前記分岐電路との接続部を電力が前記電力負荷側に流れている前記グループ用の蓄電池システムＢのうち、電池残量の高い順に放電状態とするものである（ステップＳ１２３）。
【０１５３】
このような構成により、グループ用の蓄電池システムＢの放電が行われないことによって買電状態（系統電源１００から電力が供給されている状態）になっている場合に、グループ用の蓄電池システムＢの放電を開始させることにより、買電状態の解消を図ることができる。
またこの際、電池残量が最大の蓄電池システムＢから放電を開始させるため、複数の蓄電池システムＢの電池残量の均等化を図ることができる。
【０１５４】
また、電力供給システム１においては、
前記蓄電池システムＢｂが放電状態であって、且つ、前記各分岐電路との接続部を電力が前記電力負荷側に流れている前記グループ用の蓄電池システムＢがない場合には（ステップＳ１２２：ＮＯ）、
前記各電力負荷と接続された前記グループ用の蓄電池システムＢのうち、充電状態の前記グループ用の蓄電池システムＢを抽出し、
抽出した充電状態の前記グループ用の蓄電池システムＢのうち、電池残量の高い順に充電状態を停止するものである（ステップＳ１２６：ＹＥＳ、ステップＳ１２７）。
【０１５５】
このような構成により、充電状態の蓄電池システムＢによって買電状態（系統電源１００から電力が供給されている状態）になっている場合に、蓄電池システムＢの充電を停止させることにより、買電状態の解消を図ることができる。
またこの際、電池残量が最大のグループ用の蓄電池システムＢから充電を停止させるため、複数の蓄電池システムＢの電池残量の均等化を図ることができる。
【０１５６】
以上、一実施形態を説明したが、本発明は上記構成に限定されるものではなく、特許請求の範囲に記載された発明の範囲内で種々の変更が可能である。
【０１５７】
例えば、電力供給システム１が導入される対象はマンションであるとしたが、これに限定するものではない。電力供給システム１が導入される対象は、オフィスビルや、病院、学校等であってもよい。
【０１５８】
また、制御部は、ＥＭＳ（エネルギーマネジメントシステム）に限らず、例えば燃料電池システムＦの制御部等、種々の物を使用することができる。
【０１５９】
また、ＥＭＳ２０は、図１３に示すように、各燃料電池システムＦと電気的に接続されるものであってもよい。この場合、ＥＭＳ２０は、所定の信号を各燃料電池システムＦに出力可能に構成される。こうして、ＥＭＳ２０は、各燃料電池システムＦの動作を制御することができる。また、ＥＭＳ２０は各燃料電池システムＦから所定の信号が入力可能に構成される。こうして、ＥＭＳ２０は、各燃料電池システムＦの動作に関する情報を取得することができる。
【０１６０】
具体的には、ＥＭＳ２０は、各燃料電池システムＦが現在メンテナンス等の理由により発電動作が停止しているか否かに関する情報を取得することができる。また、ＥＭＳ２０は、各燃料電池システムＦの発電動作が停止しているか否かに関する情報を利用して逆潮流抑制制御の処理を行うものであってもよい。以下に説明を行う。
【０１６１】
以下では、図１４から図１６のフローチャートを用いて、第二実施形態に係る逆潮流抑制制御の処理を実行する場合におけるＥＭＳ２０の処理について説明する。
【０１６２】
第二実施形態に係る逆潮流抑制制御の処理において、第一実施形態に係る逆潮流抑制制御の処理と異なる点は、ＥＭＳ２０は、各燃料電池システムＦの発電動作が停止しているか否かに関する情報を利用する点である。
【０１６３】
具体的には、図１４に示す（第一実施形態に係るステップＳ１０１に相当する）ステップＳ２０１において、ＥＭＳ２０は、電力供給システム１の全体の電力使用状況、各蓄電池システムＢの運転状態、及び、各蓄電池システムＢの電池残量だけでなく、各燃料電池システムＦの発電状態の確認を行う。
【０１６４】
そして、図１５に示す（第一実施形態に係るステップＳ１２２に相当する）ステップＳ２２２において、ＥＭＳ２０は、グループ用の蓄電池システムＢ（複数のグループにそれぞれ１つずつ設けられる蓄電池システムＢ）の中で、停止モード且つ買電状態の蓄電池システムＢがあって、燃料電池システムＦが発電状態であるか否かを判定する。
【０１６５】
そして、ＥＭＳ２０は、グループ用の蓄電池システムＢ（複数のグループにそれぞれ１つずつ設けられる蓄電池システムＢ）の中で、停止モード且つ買電状態の蓄電池システムＢがあって、燃料電池システムＦが発電状態であると判定した場合（ステップＳ２２２：ＹＥＳ）、（第一実施形態に係るステップＳ１２３に相当する）ステップＳ２２３の処理を実行する。
【０１６６】
ステップＳ２２３において、ＥＭＳ２０は、グループ用の蓄電池システムＢの中で、停止モード且つ買電状態であって、燃料電池システムＦが発電状態である蓄電池システムＢのうち、電池残量が最大の蓄電池システムＢのモードをエコモードに切り替える。ＥＭＳ２０は、ステップＳ２２３の処理を実行した後、逆潮流抑制制御の処理を終了する。
【０１６７】
また、ＥＭＳ２０は、グループ用の蓄電池システムＢ（複数のグループにそれぞれ１つずつ設けられる蓄電池システムＢ）の中で、停止モード且つ買電状態の蓄電池システムＢがあって、燃料電池システムＦが発電状態であるものではないと判定した場合（ステップＳ２２２：ＮＯ）、（第一実施形態に係るステップＳ１２６に相当する）ステップＳ２２６の処理を実行する。
【０１６８】
ステップＳ２２６において、ＥＭＳ２０は、燃料電池システムＦが発電状態であって、全ての蓄電池システムＢ（蓄電池システムＢｂ及びグループ用の蓄電池システムＢ）の中で充電状態の蓄電池システムＢがあるか否かを判定する。ＥＭＳ２０は、燃料電池システムＦが発電状態であって、全ての蓄電池システムＢの中で充電状態の蓄電池システムＢがあると判定した場合（ステップＳ２２６：ＹＥＳ）、ステップＳ１２７の処理を実行する。
【０１６９】
これに対して、ステップＳ２２６において、ＥＭＳ２０は、燃料電池システムＦが発電状態であって、全ての蓄電池システムＢの中で充電状態の蓄電池システムＢがあるものではないと判定した場合（ステップＳ２２６：ＮＯ）、逆潮流抑制制御の処理を終了する。
【０１７０】
また、図１６に示す（第一実施形態に係るステップＳ１３１に相当する）ステップＳ２３１において、ＥＭＳ２０は、燃料電池システムＦが発電状態であって、全ての蓄電池システムＢの中で放電状態の蓄電池システムＢがあるか否かを判定する。ＥＭＳ２０は、燃料電池システムＦが発電状態であって、全ての蓄電池システムＢの中で放電状態の蓄電池システムＢがあると判定した場合（ステップＳ１３１：ＹＥＳ）、（第一実施形態に係るステップＳ１３２に相当する）ステップＳ２３２の処理を実行する。
【０１７１】
ステップＳ２３２において、ＥＭＳ２０は、全ての蓄電池システムＢの中で、放電状態である蓄電池システムＢのうち、燃料電池システムＦが発電状態であって、電池残量が最少の蓄電池システムＢのモードを停止モードに切り替える。ＥＭＳ２０は、ＥＭＳ２０は、ステップＳ２３２の処理を実行した後、逆潮流抑制制御の処理を終了する。
【０１７２】
なお、ＥＭＳ２０は、燃料電池システムＦが発電状態であって、全ての蓄電池システムＢの中で放電状態の蓄電池システムＢがあるものではないと判定した場合（ステップＳ２３１：ＮＯ）、ステップＳ１３３の処理を実行する。
【０１７３】
また、ＥＭＳ２０は、ステップＳ１３４の処理の後に実行される（第一実施形態に係るステップＳ１３６に相当する）ステップＳ２３６において、燃料電池システムＦが発電状態であって、グループ用の蓄電池システムＢの中で、停止モード且つ売電状態の蓄電池システムＢがあるか否かを判定する。そして、ＥＭＳ２０は、燃料電池システムＦが発電状態であって、グループ用の蓄電池システムＢの中で、停止モード且つ売電状態の蓄電池システムＢがあると判定した場合（ステップＳ２３６：ＹＥＳ）、ステップＳ１３７の処理を実行する。一方、ＥＭＳ２０は、燃料電池システムＦが発電状態であって、グループ用の蓄電池システムＢの中で、停止モード且つ売電状態の蓄電池システムＢであるものがないと判定した場合（ステップＳ２３６：ＮＯ）、逆潮流抑制制御の処理を終了する。
【０１７４】
このような構成により、第二実施形態に係る逆潮流抑制制御の処理においては、各燃料電池システムＦの発電動作が停止しているか否かに関する情報を利用しているため、例えば逆潮流が発生した場合に、当該逆潮流が燃料電池システムＦの発電電力によって行われていることを情報として取得することができる。すなわち、例えば何らかの異常事態により逆潮流が発生した場合に、当該異常事態に気付かないまま蓄電池システムＢのモードの切り替えを行うことを防止することができる。
【０１７５】
以上のように、本発明の第二実施形態に係る電力供給システム１は、
前記ＥＭＳ２０（制御部）は、
前記燃料電池システムＦの発電状態に関する情報を取得可能であり、
前記ＥＭＳ２０（制御部）の制御には、前記電力検出部Ｄの検出結果に加え、前記発電状態に関する情報に基づいて行われるものである。
【０１７６】
このような構成により、例えば何らかの異常事態により逆潮流が発生した場合に、当該異常事態に気付かないまま蓄電池システムＢの制御を行うことを防止することができる。
【符号の説明】
【０１７７】
１      電力供給システム
２０    制御部
１００  系統電源
Ｂ      蓄電池システム
Ｄ      電力検出部
Ｆ      燃料電池システム
Ｈ      住居
【図１】
2018152948.tif 000003
【図２】
2018152948.tif 000004
【図３】
2018152948.tif 000005
【図４】
2018152948.tif 000006
【図５】
2018152948.tif 000007
【図６】
2018152948.tif 000008
【図７】
2018152948.tif 000009
【図８】
2018152948.tif 000010
【図９】
2018152948.tif 000011
【図１０】
2018152948.tif 000012
【図１１】
2018152948.tif 000013
【図１２】
2018152948.tif 000014
【図１３】
2018152948.tif 000015
【図１４】
2018152948.tif 000016
【図１５】
2018152948.tif 000017
【図１６】
2018152948.tif 000018